(57)【要約】【課題】農業用等各種ビニールハウスのフレームとして従来から一般に広く使用されているフレームを利用して、簡単にビニールハウス用紐止めをすることができるようにしたビニールハウス張架紐固定具を提供する。【解決手段】開口部に係止部を有し、且つ底部の両側に溝部が形成されたビニールハウスの横架支持フレームと、所定幅の平板の一端前記支持フレームの溝内に嵌合する押圧端部を有し、前記端部から離間した位置であって平板の片面に前記開口部に係止部と係止する突起を設けてなる平板固定板とからなる。【選択図】図２
0003130444.tif 000002
【実用新案登録請求の範囲】
【請求項１】
開口部に係止部を有し、且つ底部の両側に溝部が形成されたビニールハウスの横架支持フレームと、所定幅の平板の一端前記支持フレームの溝内に嵌合する押圧端部を有し、前記端部から離間した位置であって平板の片面に前記開口部に係止部と係止する突起を設けてなる平板固定板とからなる特徴するビニールハウス張架紐固定具。
【請求項２】
平板固定板は、直状の平板である前記請求項１記載のビニールハウス張架紐固定具。
【請求項３】
平板固定板は、平板よりなる略Ｚ字状の平板であって、下板の端部が支持フレームの溝内に嵌合し、上板の下面に係合突出片を設け、支持フレームの開口部に形成された係止部に嵌合するようにした請求項２記載のビニールハウス張架紐固定具。
【請求項４】
平板の押圧端部に所定幅の切欠部を形成してなる請求項１、請求項２、又は請求項３記載のビニールハウス張架紐固定具。
【考案の詳細な説明】
【考案の詳細な説明】
【技術分野】
【０００１】この考案は、農業用等各種ビニールハウスが強風にあおられて損傷を受けるのを予め防護するのに、一定間隔毎に農業用ビニールハウスのシートの上方部を固定紐を簡単に張架するビニールハウス張架紐固定具に関する。
【背景技術】
【０００２】従来、農業用等各種ビニールハウスは、両上端部の断面形状を弧状に形成し、その開口部幅を狭めた断面形状略凹形の帯状受け具と、波状に曲折した弾性線材とで、ビニールハウスのビニールを挟持してビニールハウスの外面ビニールを固定していた。（例えば、特許文献１参照）但し、このようにビニールハウスを構築しただけでは、農業用等各種ビニールハウスが強風にあおられて損傷を受けるおそれがある。
そのような損傷を予め防止するために、各農業用ビニールハウスの所有者が一定間隔毎に押さえ紐を張架し、この押さえ紐の両端をビニールハウスの下部に設置された横支持フレームに締結することによって農業用等各種ビニールハウスを定着させていた。
但し、強風に備えて、押さえ紐の固定作業は煩雑な作業であった。押さえ紐を横支持フレームに締結が完全でなければ、農業用ビニールハウスを定着が完全に機能しないことになる。農業用等各種ビニールハウス用紐止め具として、このようなビニールハウスとは、別の独立した器具を使用してビニールハウス用紐を止めるものがある。（例えば、特許文献２参照）【０００３】
【特許文献１】実公昭４９−４１０６７号
【特許文献２】実用新案登録第３００２６４５号
【考案の解決しようとする課題】
【０００４】農業用等各種ビニールハウスのフレームとして従来から一般に広く使用されている横支持フレームを利用して、簡単にビニールハウス用紐止めをすることができるようにしたものであれば非常に経済的である。
【課題を解決するための手段】
【０００５】上記の課題を解決するために、上部開口部に係止小突出部を有し、且つ底部の両側に溝部が形成されたビニールハウスの横支持フレームと、所定幅の平板の一端前記横支持フレームの溝内に嵌合する押圧端部を有し、前記端部から離間した位置であって平板の片面に前記開口部に係止部と係止する突起を設けてなる平板固定板とからなるビニールハウス張架紐固定具としたものである。
【０００６】更に、平板固定板は、直状の平板とした。
【０００７】更に他の実施例として、平板固定板は、平板よりなる略Ｚ字状の平板であって、下板の端部が支持フレームの溝内に嵌合し、上板の下面に係合突出片を設け、支持フレームの開口部に形成された係止部に嵌合するようにしたものである。
【０００８】しかも、既に嵌合してあるパネ部材を避けるために、平板の押圧端部に所定幅の切欠部を形成してなる。
【考案を実施するための最良の形態】
【実施例１】
【０００９】農業用等各種ビニールハウス６の横支持フレームとして広く一般的に使用されている型材であって、横支持フレーム１は、開口部２が狭く、底部３が広くなり、全体の断面形状は
0003130444.tif 000003
されている。開口部の上端に上部係止突起５を形成してある。【００１０】ビニールハウス６のプラスチックフィルム又はシートであるビニール７は前記の横支持フレーム１内部において波状に曲折された線状のバネ８によって固定される。
即ち、ビニールハウス６のビニール７は、上記の横支持フレーム１において所定の間隔毎に波状に曲折された線状のバネ８によって固定されることによって全体のビニールハウス６が構築されている。【００１１】ビニールハウス６は、主として農業用をはじめ、各種の畜舎、堆肥舎、椎茸、しめじ、舞茸等の栽培室、園芸用のハウス、その他、保冷庫、倉庫、資材置場等々多用途に使用されている。しかしながら、これらのビニールハウス６は、野外に設置されるために、常に風雨に晒されているため、構築されたビニールハウス６を更に外部から広幅の押さえ紐９によって固定される。【００１２】強風等によってビニール等がはがされ、その内部のものが荒らされることになる。そのため、ビニールハウス６の屋根を跨いで広幅の押さえ紐９を掛け、広幅の押さえ紐９をビニールハウス６の中部又は下部にて固定しなければならない。本考案では、ビニールハウスの固定は以下のような手順で行われる。【００１３】一旦、ビニールハウス６のビニール７が、横支持フレーム１において所定の間隔毎に波状に曲折された線状のバネ８によって固定された後に、前記ビニールハウス６の屋根を跨いで広幅の広幅の押さえ紐９を渡しかけ、まず、広幅の押さえ紐９の一端部を本願考案のビニールハウス張架紐固定具１０にて固定し、しかる後に他端から広幅の押さえ紐９を牽引して他端を本願考案のビニールハウス張架紐固定具１０にて固定するものである。なお、広幅の押さえ紐９は、その強度の上から、ポリプロピレン系の広幅のテープがよい。【００１４】弾性硬質樹脂材料１０は、主として野外で使用されて風雨にさらされるために充分な強度を必要とするために金属又は弾性硬質樹脂材料で成型する。弾性硬質樹脂材料であれば、例えばジュラコン等の強靱な硬質樹脂材料が適当である。ビニールハウス張架紐固定具１０は、所定幅の平板１１の一端前記横支持フレーム１の溝内４に嵌合する押圧端部１２を有し、前記端部から離間した位置であって平板の片面に前記開口部に形成された上部係止突起５と係止する突起１３が形成されている。【００１５】従って、このビニールハウス張架紐固定具１０を使用して、広幅の押さえ紐９を固定しようとする場合には、図２に示すように、屋根を跨いで渡された広幅の押さえ紐９の一端の近辺をまず横支持フレーム１の溝部４に位置させ該部を押圧端部１２にて押圧すると共に、ビニールハウス張架紐固定具１０の突起１３を、開口部２に形成された上部係止突起５と係合させることによって行われるから、その係合操作は、ビニールハウス張架紐固定具１０の突起１３の上部近辺を押圧するのみで一触操作で完了する。【００１６】更に、図４及び図５に示すように、本願のビニールハウス張架紐固定具１５を全体としてＺ字型に形成して、Ｚ字型の下辺の一端に押圧端部１６を形成すると共に、Ｚ字型の上辺の端部近辺の下辺係合突起１７を形成して、該下辺係合突起１７と、横支持フレーム１の開口部２の上端に上部係止突起５と係合させることによっても広幅の押さえ紐２１を固定することができる。屋根を跨いで渡された広幅の押さえ紐２１の一端の近辺をまず横支持フレーム１の溝部４に位置させ該部を押圧端部１６にて押圧すると共に、Ｚ字型の上辺の端部近辺の下辺係合突起１７を形成して、該下辺係合突起１７と係合させることによってもビニール７の固定を行うことができる。この場合でも、その係合操作は、Ｚ型のビニールハウス張架紐固定具１５の突起１７の上部近辺を押圧する一触操作で完了する。【００１７】図６に示すビニールハウスのビニールの固定は支持フレームと、波状に曲折され線状バネによって行われるが、本願考案のビニールハウス張架紐固定具の押圧端部１２に設けた切欠凹所２０は、線状バネ２１の太さの部分を逃がすためにを設けてある。
【考案の効果】
【００１８】以上述べたように、この考案では、固定用の広幅の押さえ紐は、横支持フレームの開口部にて一旦折れ曲がり横支持フレームの溝にてビニールハウス張架紐固定具の押圧端部で押圧固定され、更にビニールハウス張架紐固定具の係止部にてビニールハウス張架紐固定具と、横支持フレームとの間に挟着されるので、固定紐の固定保持は強力に行われる。
【図面の簡単な説明】
【００１９】
【図１】ビニールハウス張架紐固定具の斜視図
【図２】ビニールハウス張架紐固定具の断面図
【図３】一部を省略した使用状態を示す一部斜視図
【図４】他の実施例を示すビニールハウス張架紐固定具の断面図
【図５】他の実施例を示すＺ型のビニールハウス張架紐固定具の斜視図
【図６】ビニールハウスのビニールを固定するためのフレームの分解斜視図
【図７】張架紐を渡した状態のビニールハウスの全体斜視図
【符号の説明】
１．．．横支持フレーム
２．．．開口部
３．．．底部
４．．．溝部
５．．．上部係止突起
６．．．ビニールハウス
７．．．ビニール
８．．．曲折された線状のバネ
９．．．広幅の押さえ紐
１０．．ビニールハウス張架紐固定具
１１．．平板
１２．．押圧端部
１３．．突起
１４．．前方開口部
１５．．ビニールハウス張架紐固定具
１６．．押圧端部
１７．．下辺係合突起
２０．．切欠凹所
２１．．広幅の押さえ紐
【図１】
0003130444.tif 000004
【図２】
0003130444.tif 000005
【図３】
0003130444.tif 000006
【図４】
0003130444.tif 000007
【図５】
0003130444.tif 000008
【図６】
0003130444.tif 000009
【図７】
0003130444.tif 000010